(57)【要約】    【課題】  背凭および足掛部の回動操作の煩雑化、収納スペースが広い点。    【構成】  床上に載置されるベースフレーム８の前側に前側支脚部７を設け、前側支脚部７の上部に座席フレーム２の前側を回動自在に取付け、座席フレーム２の前側には足掛フレーム５を、座席フレーム２の後側には背凭フレーム３を夫々設け、前記座席フレーム２の後側は伸縮自在のアクチュエータ４１により支持し、前記背凭フレーム３と足掛フレーム５はリクライニング用リンク９により背凭フレーム３の後方回動と足掛フレーム５の上方回動とが連動するように連結し、前記アクチュエータ４１はその下部を前記ベースフレーム８に前後位置切替自在に取付けた多機能チェア。【選択図】    図１
2005103138.tif 000002
【特許請求の範囲】
【請求項１】
床上に載置されるベースフレーム８の前側に前側支脚部７を設け、前側支脚部７の上部に座席フレーム２の前側を回動自在に取付け、座席フレーム２の前側には足掛フレーム５を、座席フレーム２の後側には背凭フレーム３を夫々設け、前記座席フレーム２の後側は伸縮自在のアクチュエータ４１により支持し、前記背凭フレーム３と足掛フレーム５はリクライニング用リンク９により背凭フレーム３の後方回動と足掛フレーム５の上方回動とが連動するように連結し、前記アクチュエータ４１はその下部を前記ベースフレーム８に前後位置切替自在に取付けた多機能チェア。
【請求項２】
請求項１において、前記リクライニング用リンク９は、前記アクチュエータ４１による前記座席フレーム２の後側の上動に、前記背凭フレーム３の後方回動および前記足掛フレームの上方回動が夫々連動するように構成した多機能チェア。
【請求項３】
請求項１または請求項２において、前記ベースフレーム８は長さ方向に前側ベース部４３と後側ベース部４４に分割形成し、後側ベース部４４は前側ベース部４３に対して回動自在に取付けた多機能チェア。
【請求項４】
請求項１または請求項２または請求項３において、前記リクライニング用リンク９には、該リクライニング用リンク９の作動をロックとアンロックに切替えるロック機構付きガススプリング２６を設けた多機能チェア。
【請求項５】
請求項１または請求項２または請求項３または請求項４において、前記リクライニング用リンク９は、背凭フレーム３の回動と足掛フレーム５の回動とが連動する連動状態と、連動しない非連動状態とに切替自在に構成した多機能チェア。
【発明の詳細な説明】
【技術分野】
【０００１】
本発明は、種々の形態（形状）に変位（移行）する多機能チェアに係るものである。
【背景技術】
【０００２】
従来、座席に対して背凭および足掛部が回動自在に構成したは公知である。
しかし、公知例は、背凭および足掛部を夫々独立して回動させているために複数のアクチュエータが必要であり、また、収納するにスペースを要していた。
【特許文献１】特開２０００−３４２３７６号
【発明の開示】
【発明が解決しようとする課題】
【０００３】
背凭および足掛部の回動操作の煩雑化、収納スペースが広い点。
【課題を解決するための手段】
【０００４】
本願は構成を簡素にし、背凭および足掛部を連動して回動させて操作を容易にし、また、収納スペースを可及的に狭小にしたものであり、床上に載置されるベースフレーム８の前側に前側支脚部７を設け、前側支脚部７の上部に座席フレーム２の前側を回動自在に取付け、座席フレーム２の前側には足掛フレーム５を、座席フレーム２の後側には背凭フレーム３を夫々設け、前記座席フレーム２の後側は伸縮自在のアクチュエータ４１により支持し、前記背凭フレーム３と足掛フレーム５はリクライニング用リンク９により背凭フレーム３の後方回動と足掛フレーム５の上方回動とが連動するように連結し、前記アクチュエータ４１はその下部を前記ベースフレーム８に前後位置切替自在に取付けた多機能チェアとしたものである。
本発明は、前記リクライニング用リンク９は、前記アクチュエータ４１による前記座席フレーム２の後側の上動に、前記背凭フレーム３の後方回動および前記足掛フレームの上方回動が夫々連動するように構成した多機能チェアとしたものである。
本発明は、前記ベースフレーム８は長さ方向に前側ベース部４３と後側ベース部４４に分割形成し、後側ベース部４４は前側ベース部４３に対して回動自在に取付けた多機能チェアとしたものである。
本発明は、前記リクライニング用リンク９には、該リクライニング用リンク９の作動をロックとアンロックに切替えるロック機構付きガススプリング２６を設けた多機能チェアとしたものである。
本発明は、前記リクライニング用リンク９は、背凭フレーム３の回動と足掛フレーム５の回動とが連動する連動状態と、連動しない非連動状態とに切替自在に構成した多機能チェアとしたものである。
【発明の効果】
【０００５】
請求項１の発明では、背凭フレーム３および足掛フレーム５を連動させて回動でき、また、アクチュエータ４１の位置を切替えることで、座席フレーム２の後側を上動させた立ち上がり補助状態に移行できる。
請求項２の発明では、立ち上がり補助状態に移行する際に、背凭フレーム３および足掛フレームを夫々連動させることができ、操作性を向上させられる。
請求項３の発明では、後側ベース部４４ごと座席フレーム２を起こすと、座席フレーム２および背凭フレーム３が起立した収納モードにでき、収納スペースを小さくできる。
請求項４の発明では、安価にできる。
請求項５の発明では、ベッドモードおよび立ち上がり補助から収納モードに簡単に移行でき、操作性を向上させる。
【実施例１】
【０００６】
本発明の実施例を図面により説明すると、１は人工透析患者あるいは歯科受診患者が治療を受けるときに使用する治療用チェア、あるいは、寛いで着座するリラックスチェア等の多目的に使用できる多機能チェアであり、座席フレーム２に背凭フレーム３を横軸４により回動自在に取付ける。座席フレーム２の前側には足掛フレーム５の上部を軸６により回動自在に取付ける。
【０００７】
前記軸６は前側支脚部７の上部に軸装され、軸６には座席フレーム２の前側を回動自在に取付ける。前記前側支脚部７の下部は床上に載置されるベースフレーム８に取付ける。
前記座席フレーム２と背凭フレーム３と足掛フレーム５には、リクライニング用リンク９を設ける。リクライニング用リンク９は、前記横軸４に座席フレーム２の後横フレーム１０を回転自在に挿通し、後横フレーム１０に左右一対の背凭用アーム１１の基部を固定し、背凭用アーム１１の先端には嵌合部１２を形成し、嵌合部１２は背凭フレーム３の下部横杆１３に着脱および回転自在に嵌合させる。
【０００８】
また、後横フレーム１０には背凭支持アーム１４の基部を固定し、背凭支持アーム１４の先端を前記下部横杆１３より上側部分の前記背凭フレーム３に軸１５により回動自在に取付ける。
また、後横フレーム１０にはリンク用アーム１６の基部を固定し、リンク用アーム１６の先端に連結ロッド１７の後端を取付ける。連結ロッド１７の前端には嵌合部１８を形成し、嵌合部１８は前記軸６との取付部分より下方の前記足掛フレーム５に設けた横杆２０に取付ける。
【０００９】
したがって、足掛フレーム５を上方回動させると、連結ロッド１７を牽引し、連結ロッド１７が背凭支持アーム１４および背凭用アーム１１を後方（下方）回動させ、背凭支持アーム１４および背凭用アーム１１は背凭フレーム３を横軸４中心に後方（下方）回動させる（図１）。なお、足掛フレーム５と背凭フレーム３は連動し、背凭フレーム３を後側に倒せば、足掛フレーム５は上がる。
【００１０】
また、反対に、足掛フレーム５を下方回動させて連結ロッド１７を押すと、連結ロッド１７が背凭支持アーム１４を前方回動させ、背凭支持アーム１４は背凭フレーム３を横軸４中心に上方回動させる。
このようにして、リクライニング用リンク９は、背凭用アーム１１の嵌合部１２および連結ロッド１７の嵌合部１８を嵌合させると、背凭フレーム３の回動と足掛フレーム５の回動とが連動する連動状態になり、背凭フレーム３を略水平位置にまで倒すと、これに連動して足掛フレーム５が座席フレーム２に対して略水平状態になり、ベッドモードになる（図６）。
【００１１】
なお、リクライニング用リンク９の構成は任意であり、背凭フレーム３と足掛フレーム５はリクライニング用リンク９により背凭フレーム３の後方回動と足掛フレーム５の上方回動とが連動するように連結できればよく、特に、横軸４と後横フレーム１０との構成や、背凭用アーム１１等の回動構成は実施例以外の構成でもよい。
【００１２】
しかして、前記座席フレーム２の前横フレーム２１と後横フレーム１０との間には前記リクライニング用リンク９を作動させるリクライニング用アクチュエータ２５を設ける。このリクライニング用アクチュエータ２５は、油圧シリンダや伝動モータでにより直接リクライニング用リンク９を作動させて背凭フレーム３および足掛フレーム５を起伏させてもよいが、本実施例では、背凭フレーム３および足掛フレーム５の起伏作動は人力により行って、リクライニング用リンク９の固定（ロック）と解放（アンロック）をロック機構付きガススプリング２６により行うように構成している。
【００１３】
ロック機構付きガススプリング２６は、本体ケース２７内にピストン２８を設け、ピストン２８は一方側シリンダ室２９と他方側シリンダ室３０とに仕切って夫々形成する。ピストン２８には、一方側シリンダ室２９と他方側シリンダ室３０とのオリフィス３１を入り切りさせるバルブ３２を設ける（図３）。ロック機構付きガススプリング２６は本体ケース２７を前記前横フレーム２１の取付部２２に取付け、ピストン２８に設けたピストンロッド３３を前記後横フレーム１０に固定のロックアーム３４に取付ける。
【００１４】
３５は本体ケース２７内に封入した圧縮ガス、３６はピストンロッド３３に摺動自在に設けたピンであり、バルブ３２を移動させてオリフィス３１を入り切りさせる。
【００１５】
ロック機構付きガススプリング２６は、オリフィス３１を入りにしてピストン２８の移動を自由にするとアンロック状態となり、前記後横フレーム１０の横軸１５が回転するのを許容し、前記リクライニング用リンク９を作動させて前記背凭フレーム３と足掛フレーム５を起伏回動させ、任意の位置にてオリフィス３１を切りにすると、ピストン２８の移動を規制してロック状態になり、背凭フレーム３と足掛フレーム５の起伏回動をロックする。
【００１６】
しかして、座席フレーム２の後部には立ち上がり補助機構４０を設ける。立ち上がり補助機構４０は、電動モータ等により構成したアクチュエータ４１の上部を座席フレーム２の後横フレーム１０に固定の補助用アーム４２の下部に取付け、アクチュエータ４１の下部をベースフレーム８の前側部分と後側部分の何れかに位置切替自在に取付けて構成する（図７）。
【００１７】
即ち、ベースフレーム８は、前記前側支脚部７を取付けた前側ベース部４３と後側ベース部４４とに形成し、前側ベース部４３または後側ベース部４４に前記アクチュエータ４１の下部を取付けて取付角度を変更するように構成し、アクチュエータ４１の下部がベースフレーム８の前側部分に位置するときは座席フレーム２の後部を支持する支持位置となり、アクチュエータ４１の下部がベースフレーム８の後側部分に位置するときは補助位置となる。
【００１８】
この補助位置にて、アクチュエータ４１のモータ４５を作動させてロッド４６を伸長させると、座席フレーム２の後部は軸６中心に上方回動し、座席フレーム２の後部が持ち上がった立ち上がり補助モードになる。
【００１９】
しかして、ベースフレーム８は、前記後側ベース部４４の前端部を前側ベース部４３に回動自在に取付ける。
アクチュエータ４１の下部を補助位置にし、背凭フレーム３を座席フレーム２の上方に重なるように前に倒し、後側ベース部４４の後端をアクチュエータ４１と共に上方回動させて座席フレーム２を起こすと、座席フレーム２および背凭フレーム３が起立した収納モードとなる。
【００２０】
この場合、ベースフレーム８とアクチュエータ４１との関係は、アクチュエータ４１の下部をベースフレーム８の前後側に位置切替できればよく、また、ベースフレーム８は後側ベース部４４の後部が前側ベース部４３に対して上方回動するように構成すればよく、構成は任意である。
実施例では、ベースフレーム８は、前記前側支脚部７を取付けた前側ベース部４３に横杆５０を設け、該横杆５０に軸５１により後側ベース部４４を回動自在に取付ける。後側ベース部４４には後部に左右方向の後横杆５２を設ける。アクチュエータ４１の下部には嵌合部５３を設け、嵌合部５３は前記横杆５０または後横杆５２に着脱自在に嵌合するように構成する（図４）。
【００２１】
したがって、アクチュエータ４１は前側ベース部４３の横杆５０に嵌合させると通常位置となり、後側ベース部４４の後横杆５２に嵌合させると、補助位置となる。
しかして、リクライニング用リンク９は、背凭用アーム１１の嵌合部１２および連結ロッド１７の嵌合部１８の嵌合を外すと、背凭フレーム３の回動と足掛フレーム５の回動とが連動しない非連動状態とに切替えられ、収納モードに移行する。
【００２２】
（次に作用を述べる。）
多機能チェア１は、座席フレーム２が略水平で、背凭フレーム３および足掛フレーム５が所定角度で起立している状態が、着座モードとなり、この状態で着座する。
次に、人力操作により背凭フレーム３を後に倒すか、または、足掛フレーム５を上方回動させると、背凭フレーム３または足掛フレーム５は連動して後側に倒れ、上方回動し、座席フレーム２と背凭フレーム３と足掛フレーム５が略水平のベッドモードになる。
背凭フレーム３および足掛フレーム５はリクライニング用リンク９を介して設けられているから、例えば、背凭フレーム３を横軸４中心に後に倒すと、背凭支持アーム１４が後方回動して後横フレーム１０を回転させ、後横フレーム１０はリンク用アーム１６を回動させ、リンク用アーム１６は連結ロッド１７を前側に押し、連結ロッド１７は足掛フレーム５の横杆２０を軸６中心に上方回動させる。
【００２３】
しかして、任意の操作装置（ワイヤ）によりバルブ３２を引くと、バルブ３２はピストンロッド３３に対して摺動し、オリフィス３１は一方側シリンダ室２９と他方側シリンダ室３０を連通させる。
そのため、ピストン２８は本体ケース２７内を移動可能になり、ロック機構付きガススプリング２６はアンロック状態となり、この状態でリクライニング用リンク９を変位させて背凭フレーム３および足掛フレーム５を起伏させる。
次に、所望位置にて、前記操作装置によりバルブ３２を操作してピストンロッド３３に対して摺動させ、オリフィス３１による一方側シリンダ室２９と他方側シリンダ室３０の連通を遮断すると、ピストン２８は本体ケース２７内の移動が不能になり、ロック機構付きガススプリング２６はロック状態となる。
【００２４】
ロック機構付きガススプリング２６は前側を軸１５に取付け、後側は後横フレーム１０の後横フレーム１０に固定のロックアーム３４に取付けているから、ロック機構付きガススプリング２６がロックすると、ロックアーム３４を介して後横フレーム１０の回転をロックし、これによりリクライニング用リンク９の変位をロックし、背凭フレーム３および足掛フレーム５の傾斜を無段階にロックする。
このように、ロック機構付きガススプリング２６は人力操作による背凭フレーム３および足掛フレーム５の起伏回動をロック・アンロックに切替えるので、構成が簡素であり、コストを低くする。
【００２５】
しかして、座席フレーム２の前側は横軸６に回動自在に取付け、座席フレーム２の後横フレーム１０には立ち上がり補助機構４０のアクチュエータ４１の上部を取付け、アクチュエータ４１の下部はベースフレーム８の前側部分と後側部分の何れかに位置切替自在に取付けているから、アクチュエータ４１の下部がベースフレーム８の前側部分に位置するときは支持位置となって、座席フレーム２に掛かる荷重を支持する。
【００２６】
また、アクチュエータ４１の下部がベースフレーム８の後側部分に位置するときは補助位置となり、補助位置のときにアクチュエータ４１のモータ４５を作動させてロッド４６を伸長させると、座席フレーム２の後部は軸６中心に上方回動し、座席フレーム２の後部が持ち上がった立ち上がり補助モードになる。
この場合、アクチュエータ４１の上部は後横フレーム１０に固定の補助用アーム４２の下部に取付けているから、アクチュエータ４１が座席フレーム２の後部を持ち上げると、補助用アーム４２は後横フレーム１０を回転させ、後横フレーム１０は背凭用アーム１１およびリンク用アーム１６を回動させ、これにより、背凭フレーム３は後側回動し、足掛フレーム５は上方回動し、その結果、座席フレーム２に対して背凭フレーム３および足掛フレーム５は略起立状態になって、立ち上がり補助姿勢に干渉しないように退避する。
【００２７】
しかして、ベースフレーム８は、前記後側ベース部４４の前端部を前側ベース部４３に回動自在に取付けているから、アクチュエータ４１の下部を補助位置にする。
次に、背凭用アーム１１の先端の嵌合部１２から背凭フレーム３の下部横杆１３を外し、背凭支持アーム１４の先端の軸１５を中心に背凭フレーム３を前側に倒すと、背凭フレーム３は座席フレーム２の上方に重なる。
この背凭用アーム１１を背凭フレーム３の下部横杆１３から外ずすことで、リクライニング用リンク９を非連動状態に切替られ、背凭フレーム３を座席フレーム２に重ねられる。
【００２８】
次に、後側ベース部４４の後端をアクチュエータ４１と共に上方回動させて座席フレーム２を起こすと、座席フレーム２および背凭フレーム３が起立した収納モードとなる。
この場合、ベースフレーム８は、前記前側支脚部７を取付けた前側ベース部４３に横杆５０を設け、該横杆５０に軸５１により後側ベース部４４を回動自在に取付け、後側ベース部４４の後部に左右方向の後横杆５２を設け、横杆５０または後横杆５２に着脱自在に嵌合する嵌合部５３をアクチュエータ４１の下部に設けているから、嵌合部５３を横杆５０または後横杆５２に嵌脱させるだけで、アクチュエータ４１の位置切替えができるだけでなく、後側ベース部４４の回動構成も兼用するので、合理的な構成になる。
【００２９】
また、リクライニング用リンク９は、連結ロッド１７の前端の嵌合部１８を前記足掛フレーム５に設けた横杆２０に着脱自在および回動自在に取付けているから、収納モードにするとき、横杆２０から連結ロッド１７を外すと、リクライニング用リンク９は収納モードの移行に干渉しない。
【図面の簡単な説明】
【００３０】
【図１】リクライニング用アクチュエータを省略した側面図。
【図２】座席フレームと背凭フレームと足掛フレームの斜視図。
【図３】立ち上がり補助機構のアクチュエータの概略断面図。
【図４】立ち上がり補助機構のアクチュエータの位置切替説明図。
【図５】リクライニング用アクチュエータの取付状態の側面図。
【図６】ベッドモード状態側面図。
【図７】立ち上がり補助状態への移行状態側面図。
【図８】立ち上がり補助状態側面図。
【図９】収納モード移行状態側面図。
【図１０】収納モード移行状態側面図。
【図１１】収納モード状態側面図。
【符号の説明】
【００３１】
１…多目的チェア（フレーム）、２…座席フレーム、３…背凭フレーム、４…横軸、５…足掛フレーム、６…軸、７…前側支脚部、８…ベースフレーム、９…リクライニング用リンク、１０…後横フレーム、１１…背凭用アーム、１２…嵌合部、１３…下部横杆、１４…背凭支持アーム、１５…軸、１６…リンク用アーム、１７…連結ロッド、２０…横杆、２５…リクライニング用アクチュエータ、２６…ロック機構付きガススプリング、２７…本体ケース、２８…ピストン、２９…一方側シリンダ室、３０…他方側シリンダ室、３１…オリフィス、３２…バルブ、３３…ピストンロッド、３４…ロックアーム、４０…立ち上がり補助機構、４１…アクチュエータ、４２…補助用アーム、４３…前側ベース部、４４…後側ベース部、４５…モータ、４６…ロッド、５０…横杆、５２…後横杆、５３…嵌合部。
【図１】
2005103138.tif 000003
【図２】
2005103138.tif 000004
【図３】
2005103138.tif 000005
【図４】
2005103138.tif 000006
【図５】
2005103138.tif 000007
【図６】
2005103138.tif 000008
【図７】
2005103138.tif 000009
【図８】
2005103138.tif 000010
【図９】
2005103138.tif 000011
【図１０】
2005103138.tif 000012
【図１１】
2005103138.tif 000013